(57)【要約】【課題】一定量の炭酸ガスを排水に注入してｐＨ値を一定に保持することができ、且つ信頼性が高く安全な排水処理システムを提供する。【解決手段】この排水処理システム１００は、側溝２からの排水３を導入して内部を通過させてから地盤に排出する貯留槽１と、上流側貯留室内の下部と、隣接する下流側貯留室内の上部に夫々端部開口を臨ませた連通配管８、１１と、下流側貯留室Ｃ内の処理済水１３を最上流の貯留室Ａ内に循環させる循環ポンプ１５と、炭酸ガスを貯留するガスボンベ４と、循環ポンプ１５により循環された処理済水に炭酸ガスを注入するスタティックミキサ２４と、スタティックミキサ２４に炭酸ガスの注入量を制御するガス弁２３と、制御装置２０と、下流側貯留室Ｃ内の処理済水１３を排出する排出ポンプ１６と、を備えて構成される。【選択図】図１
2010125386.tif 000002
【特許請求の範囲】
【請求項１】
地下水を有した地盤上に設置されたコンクリート基盤と、該コンクリート基盤の外周であって前記地盤と近接した位置に沿って形成されてコンクリート基盤からの排水を受ける側溝と、該側溝から排出された排水を受け入れて油水分離して前記地盤に排出する油水分離装置と、を備えた排水処理システムであって、
前記側溝からの排水を導入して内部を通過させてから前記地盤に排出する貯留槽と、前記側溝からの排水を前記貯留槽内に循環させる際に排水中のｐＨ値を低下させる炭酸ガス注入装置と、を備えたことを特徴とする排水処理システム。
【請求項２】
前記貯留槽は、上流から下流に向けて配列され仕切板により仕切られた複数の貯留室を有し、上流側貯留室内の下部と、隣接する下流側貯留室内の上部に夫々端部開口を臨ませた連通配管と、を備えていることを特徴とする請求項１に記載の排水処理システム。
【請求項３】
前記炭酸ガス注入装置は、前記下流側貯留室内の処理済水を前記上流側貯留室内に循環させる循環ポンプと、炭酸ガスを貯留するガスボンベと、前記循環ポンプにより循環された処理済水に前記炭酸ガスを注入するガス注入手段と、該ガス注入手段に前記炭酸ガスの注入量を制御するガス弁と、制御手段と、を備え、
前記制御手段は、降雨の有無を検知する感雨検知手段を備え、該感雨検知手段が降雨を検知した場合に前記循環ポンプを駆動すると共に、前記ガス弁を開放して前記処理済水に前記炭酸ガスを注入するように制御することを特徴とする請求項１又は２に記載の排水処理システム。
【請求項４】
前記下流側貯留室内の処理済水を排出する排出ポンプを更に備え、前記制御手段は、前記感雨検知手段が降雨を検知しない場合は、前記循環ポンプを停止すると共に、前記ガス弁を閉止し、所定の時間経過後に前記排出ポンプを停止することを特徴とする請求項１乃至３の何れか一項に記載の排水処理システム。
【請求項５】
前記下流側貯留室内のｐＨ値を測定するｐＨ計を更に備え、前記制御手段は、前記感雨検知手段が降雨を検知した場合に前記循環ポンプを駆動すると共に、前記ガス弁を開放して前記処理済水に前記炭酸ガスを注入し、前記ｐＨ計により測定したｐＨ値が基準値の範囲内にある場合は、前記排出ポンプを駆動することを特徴とする請求項１乃至４の何れか一項に記載の排水処理システム。
【請求項６】
前記下流側貯留室内に前記処理済水の水位を検出する水位計を更に備え、前記制御手段は、前記水位計により水位が所定の値以下になったことを検出した場合、又は／及び、前記ｐＨ計により測定したｐＨ値が基準値の範囲内にある場合は、前記排出ポンプを停止することを特徴とする請求項１乃至５の何れか一項に記載の排水処理システム。
【発明の詳細な説明】
【技術分野】
【０００１】
本発明は、排水処理システムに関し、さらに詳しくは、特定の施設から排出される排水中のｐＨ濃度を中和させて環境破壊を効果的に防止することができる排水処理技術に関するものである。
【背景技術】
【０００２】
廃棄される油は回収されて、廃油処理場において油水分離、精製などの処理を受ける。この廃油処理場は地盤上に設置した広面積のコンクリート基盤上に各種処理設備を構築したものであり、この処理場からの排水はコンクリート基盤外周に沿って設けた側溝内に進入し、側溝の排出口から地盤に排水される。
ところで、処理場からの排水のｐＨ値は、一般的に７を中心に所定の範囲内であることが求められているが、地盤中の地下水固有のｐＨ値が高い場合には、大量の降雨時に地下水が側溝内に浸入して側溝から排出される排水のｐＨ値を高くすることがある。
従来技術として特許文献１には、ゴルフ場のグリーンの芝生を育成するために散布された薬剤を、芝生に埋設した排水管を介して雨水と共に回収、中和して排水する散布薬剤処理装置について開示されている。しかし、従来技術では、中和槽に回収された排水のｐＨ値が未定のため、薬剤の注入量を適正な量に制御することが困難であった。
このような問題は、廃油処理場に限らず、廃棄物処理施設、各種工場等々の施設において発生する。
【特許文献１】実公平０８−００３５０５号公報
【発明の開示】
【発明が解決しようとする課題】
【０００３】
地下水は、周辺の環境条件によってｐＨ値が大きく変化する。そのため、大量の降雨時に地下水が側溝内に浸入して、廃棄物処理施設、工場等の各種施設内で発生する排水のｐＨ値を変化させてしまうことがある。従って、施設内からの排水のｐＨ値を規定して管理したとしても施設外に排水される処理水のｐＨ値が基準値内に止まる保証はない。
また、特許文献１の従来技術は、正確なｐＨ値を測定しないため、規定外の薬剤を注入してしまうといった問題がある。
本発明は、かかる課題に鑑みてなされたものであり、降雨時のカルシウム溶出量が雨量に関係なくほぼ一定であることを利用して、感雨センサにより降雨を検出したときに、一定量の炭酸ガスを排水に注入してｐＨ値を一定に保持することができ、且つ信頼性が高く安全な排水処理システムを提供することを目的とする。
【課題を解決するための手段】
【０００４】
本発明はかかる課題を解決するために、請求項１は、地下水を有した地盤上に設置されたコンクリート基盤と、該コンクリート基盤の外周であって前記地盤と近接した位置に沿って形成されてコンクリート基盤からの排水を受ける側溝と、該側溝から排出された排水を受け入れて油水分離して前記地盤に排出する油水分離装置と、を備えた排水処理システムであって、前記側溝からの排水を導入して内部を通過させてから前記地盤に排出する貯留槽と、前記側溝からの排水を前記貯留槽内に循環させる際に排水中のｐＨ値を低下させる炭酸ガス注入装置と、を備えたことを特徴とする。
降雨時のカルシウム溶出量は雨量に関係なくほぼ一定であることを利用して、本発明では、降雨時には常に一定量の炭酸ガスを注入して中和させる。炭酸ガスは、過剰注入した場合でも炭酸ガスの性質上ｐＨ値は低くなり過ぎないため、信頼性が高く安全である。これにより、信頼性が高く安全な排水処理システムを提供することができる。
請求項２は、前記貯留槽は、上流から下流に向けて配列され仕切板により仕切られた複数の貯留室を有し、上流側貯留室内の下部と、隣接する下流側貯留室内の上部に夫々端部開口を臨ませた連通配管と、を備えていることを特徴とする。
最上流の貯留室に側溝内の排水が注入される。そして、油成分は水より比重が小さいので上部に貯留する。従って、上部に油成分が貯留し、下部には水が貯留して分離する。そこで本発明では、下部と、隣接する下流側貯留室内の上部に夫々端部開口を臨ませた連通配管を備え、下部に貯留した排水を下流側貯留室に流す。これにより、油成分と排水を分離することができる。
【０００５】
請求項３は、前記炭酸ガス注入装置は、前記下流側貯留室内の処理済水を前記上流側貯留室内に循環させる循環ポンプと、炭酸ガスを貯留するガスボンベと、前記循環ポンプにより循環された処理済水に前記炭酸ガスを注入するガス注入手段と、該ガス注入手段に前記炭酸ガスの注入量を制御するガス弁と、制御手段と、を備え、前記制御手段は、降雨の有無を検知する感雨検知手段を備え、該感雨検知手段が降雨を検知した場合に前記循環ポンプを駆動すると共に、前記ガス弁を開放して前記処理済水に前記炭酸ガスを注入するように制御することを特徴とする。
炭酸ガスは液状に圧縮されてガスボンベに貯留されている。従って、レギュレータを用いることにより、圧縮された炭酸ガスが気化されてガス状に放出される。その炭酸ガスをガス弁を開放することにより、例えば、スタティックミキサ等により排水と炭酸ガスを混合する。また、降雨時にはカルシウム溶出量が一定であることを利用して、制御手段が感雨検知手段により降雨を検知すると、炭酸ガスを排水に注入するようにガス弁を電気的に制御する。これにより、降雨の有無により炭酸ガスの注入を自動的に制御することができる。
請求項４は、前記下流側貯留室内の処理済水を排出する排出ポンプを更に備え、前記制御手段は、前記感雨検知手段が降雨を検知しない場合は、前記循環ポンプを停止すると共に、前記ガス弁を閉止し、所定の時間経過後に前記排出ポンプを停止することを特徴とする。
処理済水は排出ポンプにより外部に排出される。しかし、雨が降っていない場合は、アルカリ性が低いので排水に炭酸ガスを注入する必要がない。また、炭酸ガスの注入が停止しても、即座に排水のｐＨ値が変化することはない。そこで本発明では、感雨検知手段が降雨を検知しない場合は、循環ポンプを停止すると共に、ガス弁を閉止し、所定の時間経過後に排出ポンプを停止する。これにより、無駄な炭酸ガスの消費を抑制することができる。
【０００６】
請求項５は、前記下流側貯留室内のｐＨ値を測定するｐＨ計を更に備え、前記制御手段は、前記感雨検知手段が降雨を検知した場合に前記循環ポンプを駆動すると共に、前記ガス弁を開放して前記処理済水に前記炭酸ガスを注入し、前記ｐＨ計により測定したｐＨ値が基準値の範囲内にある場合は、前記排出ポンプを駆動することを特徴とする。
下流側貯留室に貯留した処理済水は、基準のｐＨ値の範囲内であれば排出しても構わない。また、基準のｐＨ値の範囲外であれば、ｐＨ値を下げるために循環ポンプを駆動して再度炭酸ガスを注入する必要がある。これらの一連の動作を自動的に行なうためには、下流側貯留室内のｐＨ値を測定するｐＨ計と、各ポンプを制御する手段が必要である。そこで本発明では、ｐＨ計により測定したｐＨ値が基準値の範囲内にある場合は、排出ポンプを駆動して処理済水を外部に排出し、ｐＨ値が基準値の範囲外にある場合は、循環ポンプを駆動して排出ポンプを停止してｐＨ値が基準値内になるようにする。これにより、ｐＨ値の制御と排出の制御を自動的に行なうことができる。
請求項６は、前記下流側貯留室内に前記処理済水の水位を検出する水位計を更に備え、前記制御手段は、前記水位計により水位が所定の値以下になったことを検出した場合、又は／及び、前記ｐＨ計により測定したｐＨ値が基準値の範囲内にある場合は、前記排出ポンプを停止することを特徴とする。
排出ポンプは下流側貯留室内に処理済水が所定量貯留している場合に駆動する。しかし、下流側貯留室内の処理済水が少ない場合もある。そのようなときに排出ポンプを駆動すると、ポンプを損傷するばかりでなく、無駄な電力を消費することになる。そこで本発明では、処理済水の水位を検出する水位計を備え、水位が所定の値以下になったことを検出した場合は、排出ポンプを停止する。これにより、排出ポンプの損傷と無駄な電力の消費を防止することができる。
【発明の効果】
【０００７】
本発明によれば、降雨時のカルシウム溶出量は雨量に関係なくほぼ一定であることを利用して、降雨時には常に一定量の炭酸ガスを注入して中和させるので、信頼性が高く安全な排水処理システムを提供することができる。
また、下部と、隣接する下流側貯留室内の上部に夫々端部開口を臨ませた連通配管を備え、下部に貯留した排水を下流側貯留室に流すので、油成分と排水を分離することができる。
また、制御手段が感雨検知手段により降雨を検知すると、炭酸ガスを排水に注入するようにガス弁を電気的に制御するので、降雨の有無により炭酸ガスの注入を自動的に制御することができる。
また、感雨検知手段が降雨を検知しない場合は、循環ポンプを停止すると共に、ガス弁を閉止し、所定の時間経過後に排出ポンプを停止するので、無駄な炭酸ガスの消費を抑制することができる。
また、ｐＨ計により測定したｐＨ値が基準値の範囲内にある場合は、排出ポンプを駆動して処理済水を外部に排出し、ｐＨ値が基準値の範囲外にある場合は、循環ポンプを駆動して排出ポンプを停止してｐＨ値が基準値内になるようにするので、ｐＨ値の制御と排出の制御を自動的に行なうことができる。
また、処理済水の水位を検出する水位計を備え、水位が所定の値以下になったことを検出した場合は、排出ポンプを停止するので、排出ポンプの損傷と無駄な電力の消費を防止することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る排水処理システムの構成を示す図である。この排水処理システム１００は、側溝２からの排水３を導入して内部を通過させてから地盤に排出する貯留槽１と、上流から下流に向けて配列され仕切板９、１２により仕切られた複数の貯留室Ａ、Ｂ、Ｃを有し、上流側貯留室Ａ内の下部７と、隣接する下流側貯留室Ｂ内の上部に夫々端部開口を臨ませた連通配管８と、下流側貯留室Ｂ内の下部と、隣接する下流側貯留室Ｃ内の上部に夫々端部開口を臨ませた連通配管１１と、下流側貯留室Ｃ内の処理済水１３を最上流の貯留室Ａ内に循環させる循環ポンプ１５と、炭酸ガスを貯留するガスボンベ４と、循環ポンプ１５により循環された処理済水に炭酸ガスを注入するスタティックミキサ（ガス注入手段）２４と、スタティックミキサ２４に炭酸ガスの注入量を制御するガス弁２３と、制御装置（制御手段）２０と、下流側貯留室Ｃ内の処理済水１３を排出する排出ポンプ１６と、を備えて構成される。尚、ガスボンベ４に貯留された液状炭酸ガスはレギュレータ５を用いることにより、圧縮された炭酸ガスが気化されてガス状に放出される。また、制御装置２０は、降雨２６の有無を検知する感雨センサ（感雨検知手段）１９と、循環ポンプ１５と排出ポンプ１６を駆動する駆動回路を備える。
【０００９】
次に本発明の排水処理システムの概略動作について説明する。側溝２から排出される排水３は、例えば、工場内で発生する排水や雨水により構成される。特に、排水には油成分が含まれ、雨水には酸性雨等の成分や地下から沁み出すｐＨ値の高い地下水が含まれる。それらの排水３は貯留室Ａに流入される。そして、油成分は水より比重が小さいので上部に貯留する。従って、上部に油成分が貯留し、下部には水が貯留して分離する。そして上流側貯留室Ａ内の下部７と、隣接する下流側貯留室Ｂ内の上部に夫々端部開口を臨ませた連通配管８から中和された処理済水が隣接する貯留室Ｂに移る。従って、貯留室Ａの水位が連通配管８を超えるまでは貯留室Ｂには流れ込まない。即ち、貯留室Ｂの処理済水１０も貯留室Ｂの水位が連通配管１１を超えるまでは貯留室Ｃには流れ込まない。また、本実施形態では、下流側貯留室Ｃ内の処理済水１３を最上流の貯留室Ａ内に循環させる循環ポンプ１５と、下流側貯留室Ｃ内の処理済水１３を排出する排出ポンプ１６と、を備えている。このとき、処理済水１３は適宜排出ポンプ１６により外部に排出される。また、循環ポンプ１５により循環される排水は、スタティックミキサ２４により炭酸ガスが注入されて中和される。即ち、炭酸ガスは液状に圧縮されてガスボンベ４に貯留されている。従って、レギュレータ５を用いることにより、圧縮された炭酸ガスが気化されてガス状に放出される。その炭酸ガスをガス弁２３を開放することにより、スタティックミキサ２４により排水と炭酸ガスを混合する。また、降雨時にはカルシウム溶出量が一定であることを利用して、制御装置２０が感雨センサ１９により降雨２６を検知すると、炭酸ガスを排水に注入するようにガス弁２３を電気的に制御する。
即ち、降雨時のカルシウム溶出量は雨量に関係なくほぼ一定であることを利用して、本実施形態では、降雨時には常に一定量の炭酸ガスを注入して中和させる。炭酸ガスは、過剰注入した場合でも炭酸ガスの性質上ｐＨ値は低くなり過ぎないため、信頼性が高く安全である。これにより、信頼性が高く安全な排水処理システムを提供することができる。
【００１０】
図２は本発明の第１の実施形態に係る排水処理システムの動作を説明するフローチャートである。制御装置２０は感雨センサ２０を監視して降雨があるか否かをチエックする（Ｓ１）。降雨を検知すると（Ｓ１でＹＥＳ）、循環ポンプ１５を駆動する信号を発生する（Ｓ２）。これにより、下流側貯留室Ｃ内の処理済水１３を最上流の貯留室Ａ内に循環させる管１４を介してスタティックミキサ２４に送られる。次にガス弁２３を開放して炭酸ガスをスタティックミキサ２４に注入して、排水と炭酸ガスを混合する（Ｓ３）。その後、排出ポンプ１６を駆動して（Ｓ４）ステップＳ１に戻る。一方、ステップＳ１で感雨センサ２０を監視して降雨がない場合は（Ｓ１でＮＯ）、循環ポンプ１５を停止して（Ｓ５）、ガス弁２３を閉止して炭酸ガスの注入を停止する（Ｓ６）。ここで循環ポンプ１５を停止しても即座に貯留室Ｃの処理済水のｐＨ値が変化することはないので、所定の時間経過後に（Ｓ７でＹＥＳ）、排出ポンプ１６を停止する（Ｓ８）。
即ち、処理済水は排出ポンプ１６により外部に排出される。しかし、雨が降っていない場合は、アルカリ性が低いので排水に炭酸ガスを注入する必要がない。また、炭酸ガスの注入が停止しても、即座に排水のｐＨ値が変化することはない。そこで本実施形態では、感雨センサ１９が降雨２６を検知しない場合は、循環ポンプ１５を停止すると共に、ガス弁２３を閉止し、所定の時間経過後に排出ポンプ１６を停止する。これにより、無駄な炭酸ガスの消費を抑制することができる。
【００１１】
図３は本発明の第２の実施形態に係る排水処理システムの構成を示す図である。同じ構成要素には図１と同じ参照番号を付して説明する。この排水処理システム１１０が図１と異なる点は、下流側貯留室Ｃ内のｐＨ値を測定するｐＨ計２２を更に備えた点である。
即ち、下流側貯留室Ｃに貯留した処理済水は、基準のｐＨ値の範囲内であれば排出しても構わない。また、基準のｐＨ値の範囲外であれば、ｐＨ値を下げるために循環ポンプ１５を駆動して再度炭酸ガスを注入する必要がある。これらの一連の動作を自動的に行なうためには、下流側貯留室Ｃ内のｐＨ値を測定するｐＨ計２２と、各ポンプを制御する制御装置２０が必要である。そこで本実施形態では、ｐＨ計２２により測定したｐＨ値が基準値の範囲内にある場合は、排出ポンプ１６を駆動して処理済水を外部に排出し、ｐＨ値が基準値の範囲外にある場合は、循環ポンプ１５を駆動して排出ポンプ１６を停止してｐＨ値が基準値内になるようにする。これにより、ｐＨ値の制御と排出の制御を自動的に行なうことができる。
【００１２】
図４は本発明の第２の実施形態に係る排水処理システムの動作を説明するフローチャートである。制御装置２０は感雨センサ２０を監視して降雨があるか否かをチエックする（Ｓ１０）。降雨を検知すると（Ｓ１０でＹＥＳ）、循環ポンプ１５を駆動する信号を発生する（Ｓ１１）。これにより、下流側貯留室Ｃ内の処理済水１３を最上流の貯留室Ａ内に循環させる管１４を介してスタティックミキサ２４に送られる。次にガス弁２３を開放して炭酸ガスをスタティックミキサ２４に注入して、排水と炭酸ガスを混合する（Ｓ１２）。そして、下流側貯留室Ｃ内のｐＨ値をｐＨ計２２で測定して（Ｓ１３）、ｐＨ値が基準値内であれば（Ｓ１４でＹＥＳ）、排出ポンプ１６を駆動して（Ｓ１５）ステップＳ１０に戻る。ｐＨ値が基準値内でなければ（Ｓ１４でＮＯ）、排出ポンプ１６を停止する（Ｓ１９）。一方、ステップＳ１０で感雨センサ２０を監視して降雨がない場合は（Ｓ１０でＮＯ）、循環ポンプ１５を停止して（Ｓ１６）、ガス弁２３を閉止して炭酸ガスの注入を停止する（Ｓ１７）。ここで循環ポンプ１５を停止しても即座に貯留室Ｃの処理済水のｐＨ値が変化することはないので、所定の時間経過後に（Ｓ１８でＹＥＳ）、排出ポンプ１６を停止する（Ｓ１９）。
【００１３】
図５は本発明の第３の実施形態に係る排水処理システムの構成を示す図である。同じ構成要素には図１と同じ参照番号を付して説明する。この排水処理システム１２０が図１と異なる点は、下流側貯留室Ｃ内のｐＨ値を測定するｐＨ計２２と、下流側貯留室Ｃ内に処理済水の水位を検出する水位計２１を更に備えた点である。
即ち、排出ポンプ１６は下流側貯留室Ｃ内に処理済水が所定量貯留している場合に駆動する。しかし、下流側貯留室Ｃ内の処理済水が少ない場合もある。そのようなときに排出ポンプ１６を駆動すると、ポンプを損傷するばかりでなく、無駄な電力を消費することになる。そこで本実施形態では、処理済水の水位を検出する水位計２１を備え、水位が所定の値以下になったことを検出した場合は、排出ポンプ１６を停止する。これにより、排出ポンプ１６の損傷と無駄な電力の消費を防止することができる。
【００１４】
図６は本発明の第３の実施形態に係る排水処理システムの動作を説明するフローチャートである。制御装置２０は感雨センサ２０を監視して降雨があるか否かをチエックする（Ｓ２０）。降雨を検知すると（Ｓ２０でＹＥＳ）、循環ポンプ１５を駆動する信号を発生する（Ｓ２１）。これにより、下流側貯留室Ｃ内の処理済水１３を最上流の貯留室Ａ内に循環させる管１４を介してスタティックミキサ２４に送られる。次にガス弁２３を開放して炭酸ガスをスタティックミキサ２４に注入して、排水と炭酸ガスを混合する（Ｓ２２）。そして、下流側貯留室Ｃ内のｐＨ値をｐＨ計２２で測定して（Ｓ２３）、ｐＨ値が基準値内であれば（Ｓ２４でＹＥＳ）、水位計２１により水位が所定の値以下でなければ（Ｓ２５でＮＯ）排出ポンプ１６を駆動して（Ｓ２６）ステップＳ２０に戻る。また、ステップ２４でｐＨ値が基準値内でない場合（Ｓ２４でＮＯ）、あるいは、ステップＳ２５で水位が所定値以下の場合（Ｓ２５でＹＥＳ）、排出ポンプ１６を停止する（Ｓ３０）。一方、ステップＳ２０で感雨センサ２０を監視して降雨がない場合は（Ｓ２０でＮＯ）、循環ポンプ１５を停止して（Ｓ２７）、ガス弁２３を閉止して炭酸ガスの注入を停止する（Ｓ２８）。ここで循環ポンプ１５を停止しても即座に貯留室Ｃの処理済水のｐＨ値が変化することはないので、所定の時間経過後に（Ｓ２９でＹＥＳ）、排出ポンプ１６を停止する（Ｓ３０）。
【００１５】
以上説明したように、本発明によれば、降雨時のカルシウム溶出量は雨量に関係なくほぼ一定であることを利用して、降雨時には常に一定量の炭酸ガスを注入して中和させるので、信頼性が高く安全な排水処理システム１００〜１２０を提供することができる。
また、下部と、隣接する下流側貯留室Ｂ、Ｃ内の上部に夫々端部開口を臨ませた連通配管８、１１を備え、下部に貯留した排水を下流側貯留室に流すので、油成分と排水を分離することができる。
また、制御装置２０が感雨センサ１９により降雨を検知すると、炭酸ガスを排水に注入するようにガス弁２３を電気的に制御するので、降雨の有無により炭酸ガスの注入を自動的に制御することができる。
また、感雨センサ１９が降雨を検知しない場合は、循環ポンプ１５を停止すると共に、ガス弁２３を閉止し、所定の時間経過後に排出ポンプ１６を停止するので、無駄な炭酸ガスの消費を抑制することができる。
また、ｐＨ計２２により測定したｐＨ値が基準値の範囲内にある場合は、排出ポンプ１６を駆動して処理済水を外部に排出し、ｐＨ値が基準値の範囲外にある場合は、循環ポンプ１５を駆動して排出ポンプ１６を停止してｐＨ値が基準値内になるようにするので、ｐＨ値の制御と排出の制御を自動的に行なうことができる。
また、処理済水の水位を検出する水位計２１を備え、水位が所定の値以下になったことを検出した場合は、排出ポンプ１６を停止するので、排出ポンプ１６の損傷と無駄な電力の消費を防止することができる。
【図面の簡単な説明】
【００１６】
【図１】本発明の第１の実施形態に係る排水処理システムの構成を示す図である。
【図２】本発明の第１の実施形態に係る排水処理システムの動作を説明するフローチャートである。
【図３】本発明の第２の実施形態に係る排水処理システムの構成を示す図である。
【図４】本発明の第２の実施形態に係る排水処理システムの動作を説明するフローチャートである。
【図５】本発明の第３の実施形態に係る排水処理システムの構成を示す図である。
【図６】本発明の第３の実施形態に係る排水処理システムの動作を説明するフローチャートである。
【符号の説明】
【００１７】
１  貯留槽、２  側溝、３  排水、４  ガスボンベ、５  レギュレータ、６  上流側貯留室Ａ内の上部、７  上流側貯留室Ａ内の下部、８、１１  連通配管、９、１２  仕切板、１３  下流側貯留室Ｃ内の処理済水、１５  循環ポンプ、１６  排出ポンプ、１７  排出管、１８  排水、１９  感雨センサ、２０  制御装置、２１  水位計、２２  ｐＨ計、２３  ガス弁、２４  スタティックミキサ、２５  循環管、Ａ、Ｂ、Ｃ  貯留室、１００、１１０、１２０  排水処理システム
【図１】
2010125386.tif 000003
【図２】
2010125386.tif 000004
【図３】
2010125386.tif 000005
【図４】
2010125386.tif 000006
【図５】
2010125386.tif 000007
【図６】
2010125386.tif 000008